(57)【要約】【課題】使用者が高い吸引力を備えたモードと、騒音を抑えたモードを選択できる電気掃除機を提供する。【解決手段】電動送風機１１と自走するための車輪ユニット２、３を備えた自律走行型電気掃除機において、電動送風機１２と車輪ユニット２、３を通常回転で運転し高い吸引力を生ずる自動運転モードと、電動送風機１２と車輪ユニット２、３の回転を前記自動運転モードよりも遅くした静音モードの、少なくとも2種類以上の運転モードを備えた。【選択図】図１
2019083873.tif 000002
【特許請求の範囲】
【請求項１】
電動送風機及び駆動輪を駆動させつつ自律駆動自動運転モードを実行可能な自律走行型電気掃除機であって、
前記電動送風機及び前記駆動輪の回転速度を前記自動運転モードよりも遅くした静音モードを実行可能なことを特徴とする電気掃除機。
【請求項２】
前記静音モードの運転時間は、前記自動モードよりも長いことを特徴とする請求項１に記載の電気掃除機。
【請求項３】
前記自動運転モードと静音モードの騒音の差が３ｄＢ以上であることを特徴とする請求項１又は２に記載の電気掃除機。
【発明の詳細な説明】
【技術分野】
【０００１】
本発明は、電気掃除機に関する。
【背景技術】
【０００２】
特許文献１は、自動で自律的に走行するモードと、手動で操作するモードを備えた自律走行体が開示されており、掃除機としての使用を例示している。
【先行技術文献】
【特許文献】
【０００３】
【特許文献１】特開２００６−３４６１７８号公報
【発明の概要】
【発明が解決しようとする課題】
【０００４】
しかしながら、特許文献１に示すような電気掃除機では、自律走行時に高い吸引力を確保すると、騒音が大きいという問題があった。
【０００５】
本発明は、使用者が高い吸引力を備えたモードと、騒音を抑えたモードを選択できる電気掃除機を提供することを目的とする。
【課題を解決するための手段】
【０００６】
電動送風機と自走するための車輪ユニットを備えた自律走行型電気掃除機において、電動送風機と車輪ユニットを通常回転で運転し高い吸引力を生ずる自動運転モードと、電動送風機と車輪ユニットの回転を前記自動運転モードよりも遅くした静音モードの、少なくとも2種類以上の運転モードを備えたことを特徴とする。
【０００７】
また、前記静音モードの設定運転時間は、前記自動運転モードよりも長いことを特徴とする。
【０００８】
また、前記自動運転モードと静音モードの騒音の差が3dB以上であることを特徴とする。
【発明の効果】
【０００９】
本発明によれば、使用者が高い吸引力を備えたモードと、騒音を抑えたモードを選択できる電気掃除機を提供できる。
【００１０】
また、本発明によれば、静音モードでも十分な清掃効果を確保した電気掃除機を提供できる。
【００１１】
また、本発明によれば、使用者が感じる騒音エネルギが半分である電気掃除機を提供できる。
【図面の簡単な説明】
【００１２】
【図１】実施形態に係る自律走行型掃除機を左前方から見た斜視図。
【図２】図１のＡ−Ａ断面図。
【図３】自律走行型掃除機のケースを透視した内部構成の斜視図。
【図４】自律走行型掃除機の下面図。
【発明を実施するための形態】
【００１３】
以下、本発明の実施形態について、適宜図面を参照しながら詳細に説明する。
図１は本実施形態の自律走行型掃除機Ｓを左前方から見た斜視図、図２は図１のＡ−Ａ断面図、図３は自律走行型掃除機Ｓのケース１を透視した内部構成の斜視図、図４は自律走行型掃除機Ｓの下面図である。
【００１４】
［自律走行型掃除機Ｓ］
自律走行型掃除機Ｓは、外殻を構成するケース１（上側ケース１ｕ、下側ケース１ｓ）を有し、その内部に各種のセンサを備えている。自律走行型掃除機Ｓは、下側ケース１ｓ側に設けられた駆動輪２，３が床面Ｙに接地し、車輪ユニット２０，３０が駆動輪２，３を回転させることで、前後方向に移動可能である。本実施形態については、自律走行型掃除機Ｓが進行する向きのうち、メインブラシ５を設けた側が後方である。自律走行型掃除機Ｓは、通常、前方に向かって走行し、障害物等に近接又は接触した際に後方に向かって走行する。
【００１５】
また、鉛直上向きを上方、駆動輪２，３が対向する方向であって駆動輪２側を左方、駆動輪３側を右方とする。すなわち図１等に示すように前後、上下、左右方向を定義する。
【００１６】
自律走行型掃除機Ｓは、下ケース１ｓ側に、一対の駆動輪２，３の他、補助輪４、メインブラシ５、回転ブラシ７等を備えている。自律走行型掃除機Ｓは、モータにより回転力を受けて回転する駆動輪２，３の他、従動する補助輪４により自律的に移動する。自律走行型掃除機Ｓは、駆動輪２，３の回転速度を互いに異なる値にしたり、回転の向きを同じ又は逆にしたりすることで、前進、後進、左右旋回、超信地旋回等が可能である。駆動輪２，３は、左右方向について、メインブラシ５の端部よりも外側に位置している。
【００１７】
自律走行型掃除機Ｓは、後方から順に、メインブラシ５、駆動輪２，３、回転ブラシ７を有している。メインブラシ５の前端は、前後方向について駆動輪２，３の後端よりも後方に位置すると好ましい。こうすることで、自律走行型掃除機Ｓを小形に維持しつつメインブラシ５の左右寸法を大きくし易い。例えば、本実施形態に示す自律走行型掃除機Ｓは、本体外形は約２５０ｍｍである。
【００１８】
図２等に示すように、自律走行型掃除機Ｓは、下ケース１ｓ側にメインブラシ５及び回転ブラシ７を備え、また、ケース１内部に充電池９、制御装置１０（制御基板）、電動送風機１１、及び集塵ケース１２を備えている。
【００１９】
充電池９からの電力は、駆動輪２，３や各種ブラシ５，７を駆動するモータ、及び電動送風機１１等に供給される。
【００２０】
駆動輪２、３の内部減速機構は、例えばサイクロイドギヤを用いることで小型に構成できる。回転ブラシ７は、上下方向を回転軸として回転する１つ又は２つ以上の毛束を有するブラシであり、床面Ｙに存在する塵埃を後方に向かって弾き飛ばすことができる。回転ブラシ７は、自律走行型掃除機Ｓの左右方向外側から前方に向かう方向（図中、矢印α１方向）に回転する。これにより、自律走行型掃除機Ｓの左右寸法外側の塵埃を内側に向かって集めることができる。回転ブラシ７の回転軸は、上下方向に略平行であることが好ましい。回転ブラシ７は、少なくとも毛束の一部が回転ブラシ７の左右方向端部より外側に届くように、回転軸の位置や毛束の長さを設定できる。
【００２１】
回転ブラシ７の長さは、自律走行型掃除機Ｓが例えば室内の２壁面が交わる角部に移動した際に、角部の端部まで届くよう、ケース１よりも外側に突出することが望ましいが、駆動輪２、３の回動を妨げないよう、駆動輪２，３の中心軸には届かない長さであることが望ましい。また、回転ブラシ７の一部又は全部を弾性体で覆ってもよい。こうすることで長い毛束の場合でも強度を確保できる。
【００２２】
メインブラシ５は、左右方向に回転軸を有するブラシであり、床面Ｙに存在する塵埃を掻込み、ケース１内の集塵ケース１２に向かって送り込むことができる。メインブラシ５は、回転ブラシ７より後方に位置しており、回転ブラシ７が弾き飛ばした塵埃を掻き込みやすい。なお、メインブラシ５の回転軸は、必ずしも左右方向に限られるものではなく、その他の水平方向に設けても良い。
【００２３】
集塵ケース１２は、メインブラシ５の上方に位置する吸口１４ｉに繋がる吸込み口１２ｉを有している。また、集塵ケース１２は、吸込み口１２ｉとは別の開口を有しており、ここには集塵フィルタ１３が取り付けられている。集塵フィルタ１３は、塵埃が集塵ケース１２内から漏れることを抑制する。
【００２４】
電動送風機１１は、上ケース１ｕと下ケース１ｓの間で、前後方向及び左右方向について自律走行型掃除機Ｓの中心付近に配置されている。電動送風機１１が駆動すると、床面Ｙから吸口１４ｉを介して空気を集塵ケース１２内に吸い込み、排気口１ｓ５から外部に排出する流れを生成できる。空気とともに塵埃が集塵ケース１２内に送り込まれ、塵埃は、集塵フィルタ１３を通過できずに集塵ケース内に貯留される。空気は、吸口１４ｉから下流側に向かって順に、吸込み口１２ｉ、集塵ケース１２、集塵フィルタ１３、電動送風機１１、図４等に例示する排気口１ｓ５を流れる。排気口１ｓ５は、前後方向について電動送風機１１の範囲内、左右方向について駆動輪２，３の内側に設けることができる。これにより、電動送風機１１から排気口１ｓ５までの流路を短くできる。なお、吸口１４ｉは、床面上の塵埃を掻き込むメインブラシ５の上方後側に設けられている。メインブラシ５は、メインブラシモータ５ｍから回転力を受ける。電動送風機１１、およびメインブラシモータ５ｍは、騒音を抑制し、回転数を制御しやすくするため、ブラシレスモータであることが望ましい。
【００２５】
［モード選択］
自律走行型掃除機Ｓは、制御装置１０によってそれぞれのモータの駆動速度や清掃時間を制御することができ、また、使用者が運転モードを指定することによりモータの駆動速度や清掃時間を選択できる。運転モードとしては例えば、自動運転モード、念入り運転モード、スポット運転モード、静音運転モードを含むことができる。
【００２６】
自動運転モードでは、電動送風機１１の回転速度として「標準」及び「強」を床面の状態（メインブラシ５の抵抗によって検知）や吸込口１２ｉに設けられたごみセンサによって検知したごみの量によって切り替えを行う。また、駆動輪２，３は「速い」速度で回転する。自律駆動による運転時間（清掃時間）はセンサによって検知した清掃する空間の広さとごみセンサで検知したごみの残量によって約３０分から約６０分を自動で判断し運転する。これによって素早い動きで運転時間が短く、広い範囲に高い清掃能力を発揮できる。
【００２７】
ここで、運転時間とは、自動運転モード、念入り運転モード、及び静音運転モードについては、清掃開始指令を受信してから基地局若しくは充電台への帰還動作を開始するまで又は基地局若しくは充電台への帰還動作が完了するまでの時間をいう。一方、スポット運転モードについては、スポット運転モードの実行時間をいうことができる。
【００２８】
念入り運転モードでは、電動送風機１１の回転速度と駆動輪２、３の速度は自動運転モードと同様で、清掃時間を自動運転モードより好ましくは長い時間に固定、例えば約７０分固定である。これによって部屋の広さ等に依存せず、広い範囲により高い清掃能力を発揮できる。
【００２９】
スポット運転モードでは、電動送風機１１は自動運転モードの「強」よりも回転数の高い「ターボ」固定し、駆動輪２、３は「遅い」速度で回転する。清掃時間は約１分で限られた空間を清掃する。これによって任意の狭い範囲をさらに高い吸引力で清掃することができる。
【００３０】
静音運転モードでは、電動送風機１１は「弱」固定、駆動輪２、３は「遅い」速度で回転する。清掃時間は約４５分から９０分を自動運転モードと同じように自動で判断する。このように静音運転モードでは、自動運転モード及び念入り運転モードより長い時間も短い時間も取り得る。これによって在宅中などに自律走行型掃除機Ｓを使用する場合に騒音を抑えつつ、広い範囲を十分な清掃能力で清掃することができる。清掃時間の幅が広くなっているのは使用者の好み（早期に運転を終わらせたいか静音なら長時間運転しても構わないか）が種々考えられるためである。静音モードは、電動送風機１１の回転速度が減少することで清掃性能が抑えられているため、併せて駆動輪２，３の回転速度も低減することで同じ領域を長時間清掃してその清掃性能の抑制をカバーしている。このため、清掃時間は自動運転モードより長い方が好ましい。
【００３１】
なお、使用者が清掃時間を設定できるようにしても良い。自動運転モードと静音運転モードの騒音の差が３ｄＢ以上になるような回転数に設定することにより、使用者が感じる騒音のエネルギを半分にすることができる。
【００３２】
例えば本実施形態における電動送風機１１の制御は、「弱」約１２０００回転、「標準」約１７５００回転、「強」約２４５００回転、「ターボ」約３７０００回転としており、駆動輪２、３の制御は、本体走行速度を「速い」３３０ｍｍ／ｓ、「遅い」２００ｍｍ／ｓに制御している。
【００３３】
電動送風機１１の「標準」「強」は充電池９の容量と清掃時間から、最大の回転数としている。駆動輪２，３の制御は本体の大きさより、センサが反応してから本体が停止するまでの制動距離に基づいた最大速度から「速い」３３０ｍｍ／ｓを、内部ギヤが動作可能な最低速度として「遅い」２００ｍｍ／ｓを設定している。その際、駆動輪２、３の「速い」と「遅い」の騒音差が約２．５ｄＢであり、自動運転モードと静音運転モードの差を３ｄＢ設けるために約９ｄＢの差をつける必要があることから、「弱」は「標準」から約３０％減の１２０００回転とした。
【符号の説明】
【００３４】
２，３  駆動輪（車輪）
５      メインブラシ
６      塵埃誘導部材
７      回転ブラシ
８      センサ（障害物検知手段）
９      充電池
１１    電動送風機
１２    集塵ケース
１４    吸込部
Ｓ      自律走行型掃除機
【図１】
2019083873.tif 000003
【図２】
2019083873.tif 000004
【図３】
2019083873.tif 000005
【図４】
2019083873.tif 000006